(57)【要約】【課題】  測定器の設定パラメータを外部メディア等のファイルに保存する、又は外部メディア等のファイルから設定パラメータを読み込む場合に、保存又は読み込み動作を「行う／行わない」を設定パラメータのグループ毎に又は設定パラメータ個別に選択できる測定器を実現する。【解決手段】  外部メディアインターフェースを持つ測定器において、  測定器の設定パラメータのうち、外部メディアに保存する項目を設定する属性設定手段を備える。【選択図】                    図１
2006153465.tif 000002
【特許請求の範囲】
【請求項１】
外部メディアインターフェースを持つ測定器において、
測定器の設定パラメータのうち、外部メディアに保存する項目を設定する属性設定手段を備えたことを特徴とする測定器。
【請求項２】
前記属性設定手段は、前記パラメータのうち、前記外部メディアから読み込む項目を設定することを特徴とする請求項１に記載の測定器。
【請求項３】
前記属性設定手段は、前記設定パラメータのグループに対してその属性を設定することを特徴とする請求項１又は２に記載の測定器。
【請求項４】
前記グループは、入力機能に関するグループ、表示機能に関するグループ、その他の機能に関するグループであることを特徴とする請求項３に記載の測定器。
【請求項５】
前記属性設定手段は、前記設定パラメータに対して個別にその属性を設定することを特徴とする請求項１又は２に記載の測定器。
【請求項６】
前記属性設定手段は、ユーザによるキー入力処理手段を介して設定されることを特徴とする請求項１乃至５のいずれかに記載の測定器。
【発明の詳細な説明】
【技術分野】
【０００１】
本発明は、外部メディアインターフェースを備え、内部設定パラメータを読み出して外部メディアにファイル保存し、又は外部メディアにファイル保存された設定パラメータを読み込んで変更する測定器に関する。
【背景技術】
【０００２】
外部メディアインターフェースを持つ測定器に関連する先行技術文献としては次のようなものがある。
【０００３】
【特許文献１】特開２００３−１６７７６０号公報
【０００４】
図５は、外部メディアインターフェースを備えた記録計群に対する設定管理のイメージ図である。ユーザは、１台の記録計Ｒ１に対してキー入力でパラメータ設定を行い、その設定パラメータを、外部メディアインターフェースを介して外部メディア（フロッピー（登録商標）ディスク、フラッシュメモリ等）に読み出してファイル保存する。この外部メディアの保存データにより、他の記録計Ｒ２…Ｒｎに対して同一のパラメータ設定を実行する。
【０００５】
図６は従来の測定器の一般的な構成例を示す機能ブロック図である。ブロック１は測定器領域を示す。２は外部メディアであるフロッピー（登録商標）ディスク、３はセンサ手段であり、測定信号Ｓｉを測定器１に出力する。
【０００６】
測定器１において、１１は信号処理手段、１２は外部メディアインターフェースであり、信号処理手段１１と通信して内部設定パラメータを外部メディア２に渡してファイル保存し、又は外部メディアにファイル保存された設定パラメータを読み込んで信号処理手段１１に渡す。
【０００７】
１３は入力処理手段であり、センサ手段３の出力ＳｉをＡＤ変換処理して信号処理手段１１に渡す。１４はキー入力手段、１５は表示手段、１６はプログラムや設定パラメータ等を格納するＲＯＭ、１７は演算処理用のＲＡＭである。
【０００８】
信号処理手段１１において、１１ａはＣＰＵ、１１ｂはパラメータ保持手段である。１１ｃは保存・読み込み手段であり、パラメータ保持手段１１ｂと外部メディアインターフェース１２と通信し、設定パラメータを読み出して外部メディア２に渡しファイル保存し、外部メディア２にファイル保存された設定パラメータを読み込んでパラメータ保持手段１１ｂに書き込んで変更する。
【発明の開示】
【発明が解決しようとする課題】
【０００９】
従来構成の測定器では、次のような問題点がある。
（１）測定器の設定パラメータをフロッピー（登録商標）ディスク等の外部メディアにファイルとして保存し、又設定パラメータが保存してある外部メディアのファイルを測定器に読み込み測定器の設定パラメータを変更する場合、ファイルには測定器の全ての設定パラメータを保存する、又は読み込む、の動作しかできない。
【００１０】
（２）測定器の設定パラメータを外部メディア等のファイルに保存する場合、保存したくない（しなくても良い）設定パラメータも保存されてしまい、ファイルの容量が大きくなってしまう。また、外部メディア等のファイルから設定パラメータを読み込み測定器の設定パラメータを変更する場合、変更したくない設定パラメータも同時に変更されてしまう。
【００１１】
従って本発明が解決しようとする課題は、測定器の設定パラメータを外部メディア等のファイルに保存する、又は外部メディア等のファイルから設定パラメータを読み込む場合に、保存又は読み込み動作を「行う／行わない」を設定パラメータのグループ毎に又は設定パラメータ個別に選択できる測定器を実現することにある。
【課題を解決するための手段】
【００１２】
このような課題を達成するために、本発明の構成は次の通りである。
（１）  外部メディアインターフェースを持つ測定器において、
測定器の設定パラメータのうち、外部メディアに保存する項目を設定する属性設定手段を備えたことを特徴とする測定器。
【００１３】
（２）前記属性設定手段は、前記パラメータのうち、前記外部メディアから読み込む項目を設定することを特徴とする（１）に記載の測定器。
【００１４】
（３）前記属性設定手段は、前記設定パラメータのグループに対してその属性を設定することを特徴とする（１）又は（２）に記載の測定器。
【００１５】
（４）前記グループは、入力機能に関するグループ、表示機能に関するグループ、その他の機能に関するグループであることを特徴とする（３）に記載の測定器。
【００１６】
（５）前記属性設定手段は、前記設定パラメータに対して個別にその属性を設定することを特徴とする（１）又は（２）に記載の測定器。
【００１７】
（６）前記属性設定手段は、ユーザによるキー入力処理手段を介して設定されることを特徴とする（１）乃至（５）のいずれかに記載の測定器。
【発明の効果】
【００１８】
以上説明したことから明らかなように、本発明によれば次のような効果がある。
（１）測定器の外部メディアに対して設定パラメータをファイルとして保存する場合に、保存する設定パラメータを選択できるようにしたので、ユーザが保存したい設定パラメータを任意に選択できるようになる。
【００１９】
（２）測定器の設定パラメータの変更を外部メディアにある設定値が保存してあるファイルより読み変更する場合にも、読み込む設定パラメータを選択できるようにしたので、ユーザが読み込みたい設定パラメータを任意に選択できるようになる。
以上の２つの動作は、測定器に対して単独で実現されても、同時に実現されてもどちらでもよい。
【発明を実施するための最良の形態】
【００２０】
以下本発明を、図面を用いて詳細に説明する。図１は本発明を適用した測定器の一実施形態を示す機能ブロック図である。図６で説明した従来測定器と同一要素には同一符号を付し、説明を省略する。以下、本発明の特徴部につき説明する。
【００２１】
図１において、１００は本発明の特徴部をなす属性設定手段である。この属性設定手段は、パラメータ保持手段１１ｂと保存・読込み手段１１ｃの間に挿入され、測定器の設定パラメータを外部メディア等にファイル保存する、又は外部メディア等のファイルから設定パラメータを読み込み変更する場合に、保存又は読み込み動作を「行う／行わない」を設定パラメータのグループ毎に又は設定パラメータ個別に設定することができる。
【００２２】
図２は、属性設定手段１００が備える属性設定テーブルの例である。設定パラメータ群は、入力機能に関するグループ、表示機能に関するグループ、その他の機能に関するグループの３グループに区分され、グループ毎にグループ属性が付与される。グループ属性が付与されないグループでは、そのグループに属する設定パラメータに対して個別属性が付与される。
【００２３】
このテーブルの設定例では、外部メディアにファイルを保存する場合、入力機能に関するグループは保存「可」の属性が付与されるので、外部メディアへのファイル保存が許可される。一方、外部メディアのファイルに保存された設定パラメータを測定器に読み込んで設定パラメータを変更する場合、入力機能及び表示機能に関するグループには読込み「可」の属性が付与されるので、外部メディアにファイル保存された設定パラメータを読み込んで測定器の設定パラメータを変更することが許可される。
その他の機能に関するグループでは、パラメータ毎に保存又は読み込みの属性が個々に設定されている。
【００２４】
属性設定手段１００が備える属性設定テーブルにおけるグループ属性、個別属性の設定は、キー入力処理手段１４を介してユーザによりその設定内容を自由にメンテナンスすることが可能である。従って、複数の測定器を有するシステムでは、各測定器毎に設定パラメータの保存と読み込みの属性を自由に設定する管理が可能である。
【００２５】
図３は、測定器の設定パラメータを外部メディア等にファイル保存する場合の処理手順を示すフローチャートである。設定パラメータのファイル保存処理が起動すると、ステップＳ１では入力機能に関する設定パラメータに対して「保存する／しない」の判断を実行する。保存する場合はステップＳ２で入力機能に関する設定パラメータを外部メディアにファイル保存し、ステップＳ３に進む。保存しない場合はステップＳ３にジャンプする。
【００２６】
ステップＳ３では、表示機能に関する設定パラメータに対して「保存する／しない」の設定パラメータを判断する。保存する場合はステップＳ４で表示機能に関する設定パラメータを外部メディアのファイルに保存し、ステップＳ５に進む。保存しない場合はステップＳ５にジャンプする。
【００２７】
ステップＳ５では、その他の機能に関する設定パラメータに対して「保存する／しない」の判断を実行する。保存する場合はステップＳ６でその他の機能に関する設定パラメータを外部メディアにファイル保存し、処理を終了する。保存しない場合はステップＳ６をジャンプして処理を終了する。
【００２８】
図４は、外部メディア等のファイルに保存された設定パラメータを測定器に読み込んで設定パラメータを変更する場合の処理手順を示すフローチャートである。ファイル保存の設定パラメータータに対する読み込み処理が起動すると、ステップＳ１では入力機能に関する設定パラメータータに対して「読み込みする／しない」の判断を実行する。読み込みする場合は、ステップＳ２で入力機能に関する設定パラメータを外部メディアのファイルから読み込んで変更し、ステップＳ３に進む。読み込みしない場合はステップＳ３にジャンプする。
【００２９】
ステップＳ３では、表示機能に関する設定パラメータに対して「読み込みする／しない」の判断を実行する。読み込みする場合は、ステップＳ４で表示機能に関する設定パラメータを外部メディアのファイルから読み込んで変更し、ステップＳ５に進む。読み込みしない場合はステップＳ５にジャンプする。
【００３０】
ステップＳ５では、その他の機能に関する設定パラメータに対して「読み込みする／しない」の判断を実行する。読み込みする場合はステップＳ６でその他の機能に関する設定パラメータを外部メディアのファイルから読み込んで変更し、処理を終了する。読み込みしない場合はステップＳ６をジャンプして処理を終了する。
【００３１】
以上説明したように、本発明によれば、複数台の測定器に対して入力機能に関する設定だけを同じにしたいような場合、1台の測定器に対して設定したい入力パラメータを設定する。その後、設定値のファイル保存機能にて、「入力機能に関する設定のみ保存する」の設定を有効にして、設定パラメータをファイルに保存することができる。
【００３２】
その後、そのファイルを他の測定器に持っていって設定のパラメータファイル読み込み機能にて設定パラメータの保存ファイルを読み込み、設定パラメータの変更を行う。この場合、ファイル内には入力に関する設定パラメータのみが保存されているため、他の設定パラメータは変更されずにすむ。
【００３３】
又、次のような使用方法も可能である。設定パラメータのすべてをファイルに保存する。その後、そのファイルを他の測定器に持っていって設定値のファイル読み込み機能にて、「入力機能に関する設定のみ読み込む」の設定を有効にして、設定パラメータをファイルから読み込み、測定器の設定パラメータの変更を行うことができる。
【００３４】
これにより、ユーザが他の測定器にコピーしたい設定パラメータのみを他の測定器に対して変更することが容易にできる。本発明の２つの使用方法は、いずれか1つまたは両方を同時に適用してもよい。
【図面の簡単な説明】
【００３５】
【図１】発明を適用した測定器の一実施形態を示す機能ブロック図である。
【図２】属性設定手段が備える属性設定テーブルの例である。
【図３】測定器の設定パラメータを外部メディア等のファイルに保存する場合の処理手順を示すフローチャートである。
【図４】外部メディア等のファイルに保存された設定パラメータを測定器に読み込んで設定パラメータを変更する場合の処理手順を示すフローチャートである。
【図５】外部メディアインターフェースを備えた記録計群に対する設定管理のイメージ図である。
【図６】従来の測定器の一般的な構成例を示す機能ブロック図である。
【符号の説明】
【００３６】
１  測定器
２  外部メディア
３  センサ手段
１１  信号処理手段
１１ａ  ＣＰＵ
１１ｂ  パラメータ保持手段
１１ｃ  保存・読み込み手段
１２  外部メディアインターフェース
１３  入力処理手段
１４  キー入力手段
１５  表示手段
１６  ＲＯＭ
１７  ＲＡＭ
１００  属性設定手段
【図１】
2006153465.tif 000003
【図２】
2006153465.tif 000004
【図３】
2006153465.tif 000005
【図４】
2006153465.tif 000006
【図５】
2006153465.tif 000007
【図６】
2006153465.tif 000008